(57)【要約】【課題】１枚の刃を用いて簡易な構造でシートを切断すること。【解決手段】シートカッター１００は、刃５と、ベース１と、ベース２と、床にベース１が配置されるときに、床に平行な第１の方向にシートをカット可能な床から所定高さの第１の位置に刃５を配置する斜面７ａと、床にベース２が配置されるときに第１の位置から、第１の方向と逆方向かつ平行な第２の方向にシートをカット可能な第２の位置に刃を配置する斜面６ａと、第１の位置および第２の位置に刃５を移動させるための刃支持部８に設けられた孔部および柱部９ａ、９ｂを有する。【選択図】図１
2020044104.tif 000002
【特許請求の範囲】
【請求項１】
第１のベースと、
第２のベースと、
基面に前記第１のベースが配置されるときに、前記基面に平行な第１の方向にシートをカット可能な前記基面から所定高さの第１の位置に前記刃を配置し、前記基面に第２のベースが配置されるときに前記第１の位置から、前記第１の方向と逆方向かつ平行な第２の方向に前記シートをカット可能な第２の位置に刃を配置する配置部と、
前記第１の位置および前記第２の位置に前記刃を移動させる移動部と、
を有することを特徴とするシートカッター。
【請求項２】
前記第１の位置に前記刃が配置されているときに前記第２のベースが前記シートを介して基面に垂直な面に対向し、前記第２の位置に前記刃が配置されているときに前記第１のベースが前記シートを介して基面に垂直な面に対向する請求項１に記載のシートカッター。
【請求項３】
前記第１の位置と前記第２の位置のそれぞれにおいて前記刃を固定する固定部を有する請求項１または２に記載のシートカッター。
【請求項４】
前記固定部は、
第１の被係合部および第２の被係合部を有し前記刃を支持する刃支持部と、
前記刃が第１の位置に配置されるときに前記刃支持部に当接し、前記第１の被係合部に係合する係合部を有する第１の当接部と、
前記刃が第２の位置に配置されるときに前記刃支持部に当接し、前記第２の被係合部に係合する係合部を有する第２の当接部と、
を有する請求項３に記載のシートカッター。
【請求項５】
前記移動部は、前記刃を前記第１の位置から前記第２の位置に移動させる際に、仮想の中心点を基準に回転移動させる請求項１ないし４のいずれかに記載のシートカッター。
【請求項６】
前記移動部は、
孔部を有し、前記刃を支持する刃支持部と、
前記孔部内に挿入され、前記回転移動の方向に沿って湾曲するガイドと、
を有する請求項５に記載のシートカッター。
【発明の詳細な説明】
【技術分野】
【０００１】
本発明はシートカッターに関する。
【背景技術】
【０００２】
床敷物等のシートをカットするシートカッターが知られている。例えば、基台と、この基台の前端部に回動自在にとりつけられている押当切断部材とを具備し、押当切断部材には、敷物との接触面が曲面に形成された敷物を押圧する押当部と、この押当部と連設された握柄が形成されており、この握柄には切断刃が出入自在に内在されており、切断刃は押当部に形成された出入孔から出入自在である敷物切断具が知られている。
【０００３】
また、第１の刃と、第２の刃と、第１の刃と第２の刃を収納する本体と、本体と接続され、刃を突出する隙間を設けたガイドを有し、第１の刃または第２の刃が隙間より突出するカッターが知られている。
【先行技術文献】
【特許文献】
【０００４】
【特許文献１】実開昭５９−０９８８６７号公報
【特許文献２】特開２０１６−３９８９４公報
【発明の概要】
【発明が解決しようとする課題】
【０００５】
特許文献１に記載の敷物切断具では、壁際などの床敷物の余分な部分を切り取る際、壁に囲まれた場所で使用すると、切り始めと切り終わりの部分を端まで切ることができないという問題点がある。
また、特許文献２に記載のカッターは、刃を２枚設けるため、構造が複雑になり、装置も大型化する。
１つの側面では、本発明は、１枚の刃を用いて簡易な構造でシートを切断することを目的とする。
【課題を解決するための手段】
【０００６】
上記目的を達成するために、開示のシートカッターが提供される。このシートカッターは、第１のベースと、第２のベースと、基面に第１のベースが配置されるときに、基面に平行な第１の方向にシートをカット可能な基面から所定高さの第１の位置に刃を配置し、基面に第２のベースが配置されるときに第１の位置から、第１の方向と逆方向かつ平行な第２の方向にシートをカット可能な第２の位置に刃を配置する配置部と、第１の位置および第２の位置に刃を移動させる移動部と、を有している。
【発明の効果】
【０００７】
１態様では、１枚の刃を用いて簡易な構造でシートを切断することができる。
本発明の上記および他の目的、特徴および利点は本発明の例として好ましい実施の形態を表す添付の図面と関連した以下の説明により明らかになるであろう。
【図面の簡単な説明】
【０００８】
【図１】実施の形態のシートカッターを示す六面図である。
【図２】実施の形態のシートカッターを示す斜視図である。
【図３】シートカッターの内部を説明する図である。
【図４】シートカッターの内部を説明する図である。
【図５】実施の形態のシートカッターの使用例を説明する図である。
【図６】実施の形態のシートカッターの使用例を説明する図である。
【図７】移動後のシートカッターとシートとの関係を示す図である。
【図８】残りのシートをカットするときのシートカッターとシートとの関係を示す図である。
【図９】残りのシートをカットするときのシートカッターとシートとの関係を示す図である。
【発明を実施するための形態】
【０００９】
以下、実施の形態のシートカッターを、図面を参照して詳細に説明する。
＜実施の形態＞
図１は、実施の形態のシートカッターを示す六面図である。
【００１０】
実施の形態のシートカッター１００は、例えば、床敷物等のシートをカットする際に用いることができる。床敷物としては特に限定されないが、例えば所定の厚みを有するクッションフロア等が挙げられる。
【００１１】
このシートカッター１００は、後述する刃支持部の位置を変えることにより、平面図の紙面左右のいずれの方向にもシートをカットすることができる。図１では平面図の紙面左方向にシートをカットする場合（左向進）の刃支持部の位置の六面図を示している。
シートカッター１００は、ベース（第１のべース）１と、ベース１に対し直角のベース（第２のベース）２とを有している。
【００１２】
図１の平面図に示すように、シートカッター１００の幅ｈ１は一例として１３０ｍｍ、長さｈ２は一例として６５ｍｍである。また、右側面図に示すように、長さｈ３は一例として６５ｍｍである。
【００１３】
図１の左側面図および右側面図に示すように、ベース１とベース２とは、連結部５を介して側面視で９０°となるように一体的に接続されている。以下の説明では、左側面図に主な符号を付し、補足する場合は六面図の他の図面において符号を付している。
連結部５には、カット時にカッターの刃５が突出する切り込み５ａが設けられている。
ベース１とベース２は、いずれも床または床に垂直な壁に配置される。床は基面の一例である。
【００１４】
ベース１が床に配置されるときには、ベース２は壁に沿って配置することができる。また、ベース２が床に配置されるときには、ベース１は壁に沿って配置することができる。
【００１５】
図１の左側面図に示すように、ベース１の上部には、部材６が設けられている。また、ベース２の上部には、部材７が設けられている。部材６は、ベース１に対し側面視で鋭角の斜面を形成する斜面６ａを有している。部材７は、ベース２に対し側面視で鋭角の斜面を形成する斜面７ａを有している。この斜面６ａおよび斜面７ａは、第１の位置および第２の位置に刃５を配置する配置部の一例である。ベース１を床に配置したときの床に対する斜面７ａの角度は、例えば５０°である。また、ベース２を床に配置したときの床に対する斜面６ａの角度は、例えば５０°である。
【００１６】
ここで、第１の位置は、刃が配置されることにより床に平行な第１の方向にシートをカット可能な、シートをカットするのに適した床から所定高さの位置である。また、第２の位置は、第１の方向と逆方向かつ平行な第２の方向にシートをカット可能な位置である。
斜面６ａ、斜面７ａはそれぞれ完全な平面でなくてもよく、刃支持部８が当接することにより、第１の位置および第２の位置が確保できればよい。
【００１７】
この斜面６ａおよび斜面７ａのいずれか一方に、刃５を支持する刃支持部８を配置することができる。ベース１が床に配置されるときに刃支持部８が斜面７ａに配置されると、刃５がシートをカットする位置に配置される。
ユーザは、斜面６ａ、７ａ間において刃支持部８を自由に移動させることができる。
【００１８】
刃支持部８は、幅が刃５の幅に対応して設けられ、挿入された刃５のぐらつきを規制する刃固定部を有している。刃固定部に挿入された刃５は、ダイヤル８ｂを回転させることにより刃固定部に対する抜き差しの規制および解除を行うことができる。
また、刃支持部８は、ユーザが斜面６ａ、７ａ間において刃支持部８を移動させる際に把持することができる把持部８ｃを有している。
図２は、実施の形態のシートカッターを示す斜視図である。
【００１９】
図１では、刃支持部８が斜面７ａ側に配置されていたが、図２では、刃支持部８が斜面６ａ側に配置されている。この位置は、図１の平面図における紙面右方向にシートをカットする場合（右向進）の刃支持部の位置となる。
ところで、斜面６ａと斜面７ａとの間には、中空または中実の柱部９ａ、９ｂが設けられている。
図３および図４は、シートカッターの内部を説明する図である。
【００２０】
図３（ａ）は、図１における右側面図であり、図３（ｂ）は、図３（ａ）におけるＡ−Ａ線での断面図であり、図３（ｃ）は、図３（ａ）におけるＢ−Ｂ線での断面図である。
【００２１】
図３（ｂ）に示すように、刃支持部８は、柱部９ａが挿通し、柱部９ａの直径に対し少しだけ大きな径の孔部８ｄと、柱部９ｂが挿通し、柱部９ｂの直径に対し少しだけ大きな径の孔部８ｅとを有している。孔部８ｄ、８ｅの径は、刃支持部８が斜面６ａ、７ａ間を移動するときに刃支持部８がぐらつかず、スムースに移動できるような径であるのが好ましい。
この柱部９ａ、９ｂは、孔部８ｄ、８ｅ内に挿入され、斜面６ａまたは斜面７ａに刃支持部８を移動させる際のガイドとして機能する。
刃支持部８に設けられた孔部８ｄ、８ｅおよび柱部９ａ、９ｂは、移動部の一例である。
【００２２】
実施の形態の斜面６ａ、７ａは平行ではなく、斜面６ａ、７ａの各延長線の軌跡は、仮想の中心点Ｐにて交わる。斜面６ａ、７ａの各延長線と中心点Ｐにより形成される角度θは一例として１０°である。柱部９ａ、９ｂは、刃支持部８が斜面６ａ、７ａ間を移動する際に、仮想の中心点Ｐを基準に回動するよう若干湾曲している。柱部９ａ、９ｂをこのような形状にすることにより、回動を円滑に行うことができる。
【００２３】
図３（ａ）に示すように、刃支持部８が斜面６ａ、７ａ間を移動する際に、刃支持部８の所定の点の軌跡は、中心点Ｐを基準に１０°回転した円弧になる。なお、刃支持部８が斜面６ａ、７ａ間を平行移動するようになっていてもよい。
また、図３（ａ）に示すように、刃支持部８の一方の側面には、凸部（係合部）８ｆ、８ｇが設けられている。
図３（ｃ）に示すように、斜面６ａの突起８ｆ、８ｇに対応する部位には、凹部（被係合部）６ｂ、６ｃが設けられている。
【００２４】
図４（ａ）は、刃支持部を斜面６ａ側に移動させたときの右側面図であり、図４（ｂ）は、図４（ａ）におけるＡ−Ａ線での断面図であり、図４（ｃ）は、図４（ａ）におけるＣ−Ｃ線での断面図である。
【００２５】
図４（ａ）に示すように、刃支持部８の他方の側面には凸部８ｈ、８ｉが設けられている。また、図４（ｂ）に示すように、斜面７ａの突起８ｈ、８ｉに対応する部位には、凹部７ｂ、７ｃが設けられている。
なお、本実施の形態では、凸部と凹部とをそれぞれ２つずつ配置した。しかし、凸部と凹部の数はこれに限らず１つまたは３つ以上でもよい。
【００２６】
また、本実施の形態では、刃支持部８に突起８ｆ〜８ｉを設け、斜面６ａ、７ａに凹部を設けるようにした。しかしこれに限らず、刃支持部８に凹部を設け、斜面６ａ、７ａに凸部を設けるようにしてもよい。
【００２７】
また、実施の形態では、斜面６ａ、７ａに刃支持部８を当接させ、突起と凹部とで刃支持部８を固定するようにした。しかし、これに限らず、斜面６ａ、７ａに刃支持部８を当接させずに突起と凹部とで刃支持部８を固定するようにしてもよい。要は第１の位置と第２の位置に刃支持部８が配置されればよい。
【００２８】
再び図１に戻って説明する。左側面図に示すように、シートカッター１００には、シートをカットする際にユーザが指を掛けることができる把持部７ｄが設けられている。ユーザが把持部７ｄに指を掛けたとき、掌の人差し指から小指の付け根部分の指尖球が面７ｅに当接するようになっている。また親指の付け根部分の母指球が面６ｅに当接するようになっている。これにより、ユーザはシートカッター１００をしっかりと保持することができ、紙面奥側から紙面手前側の方向に安定して移動させることができる。
＜使い方＞
次に、実施の形態のシートカッター１００の使用例を説明する。
図５および図６は、実施の形態のシートカッターの使用例を説明する図である。
【００２９】
図５および図６においては、床Ａを取り囲む壁Ｂ１、Ｂ２、Ｂ３、Ｂ４が配置されている。本使用例においては、壁Ｂ２、Ｂ３、Ｂ４に沿ってカット対象のシート２００が既にカットされており、残りの壁Ｂ１に沿ってカット対象のシート２００をカットする場合を例示する。
【００３０】
まず、ユーザはカット対象のシート２００の厚さに応じた刃５の突出量を決定する。刃５の突出量の一例は、シート２００をカットするときに壁Ｂに刃５が当たらず、シート２００がカットできる量である。
【００３１】
突出量を決定すると、ユーザは、ベース１にてシート２００を押さえ、シート２００を介してベース２が壁Ｂ１に接触し、シートカッター１００の端部１０１が壁Ｂ２に接触するようにシートカッター１００を配置する。そして、ユーザは、配置したシート２００がずれないように、シート２００をベース１とベース２で押さえ込む。これにより、床Ａに平行な図５の紙面手前方向から奥方向（第１の方向）にシート２００をカット可能な床Ａから所定高さの第１の位置に鋭角に刃５を配置することができる。この第１の位置にてシート２００をカットすることにより、カットされたシート２００と壁Ｂ１との間隙をなくすことができる。
この場合、ユーザは、把持部６ｄを把持して、図５の紙面手前方向から奥方向（図６の紙面右方向から左方向）に向かってシート２００をカットしていく。
図７は、移動後のシートカッターとシートとの関係を示す図である。図７では、シート２００の切れ端２０１を図示している。
【００３２】
シートカッター１００の端部１０２が部屋内の壁Ｂ３に当接すると、シート２００の部位ｈ４がカットされずに残る。この部位ｈ４は、シートカッター１００の横幅の長さより若干短い。
【００３３】
このとき、ユーザは、シートカッター１００を一度シート２００から離間させる。そして、シートカッター１００を１８０°回転させてベース２を床Ａ側に配置し、ベース１を壁Ｂ１側に配置する。
そして、ユーザは把持部８ｃを把持して刃支持部８を斜面７ａから斜面６ａに移動させる。配置と移動の順序は、入れ替えてもよい。
図８および図９は、残りのシートをカットするときのシートカッターとシートとの関係を示す図である。
【００３４】
図７にて説明した方法により、第１の方向の延長線上に刃５を配置することができる。ユーザは、把持部７ｄを把持して、ベース１を床Ａに配置したままベース２を壁Ｂ１側に接近するよう力を加える。これにより、端部１０２のシート２００がカットされる。ユーザはそのまま図９の紙面手前方向から奥方向（図８の紙面左方向から右方向）に向かってシートカッター１００を移動させることにより、今までカットしてきた方向と逆方向かつ、カットしてきたラインに平行な方向に向かって刃５が移動する。従って、カットし残した部位ｈのシート２００をカットすることができる。このようにして、床Ａに敷き詰める分のシートを切り取ることができる。
【００３５】
以上述べたように、シートカッター１００によれば、刃５と、ベース１と、ベース２と、床Ａにベース１が配置されるときに、床Ａに平行な第１の方向にシート２００をカット可能な床Ａから所定高さの第１の位置に鋭角に刃５を配置する斜面７ａと、床Ａにベース２が配置されるときに第１の位置から、第１の方向と逆方向かつ平行な第２の方向にシート２００をカット可能な第２の位置に鋭角に刃５を配置する斜面６ａと、第１の位置および第２の位置に刃５を移動させるための刃支持部８に設けられた孔部８ｄ、８ｅおよび柱部９ａ、９ｂを有する。
これにより、１枚の刃を用いて簡易な構造でシート２００を切断することができる。
【００３６】
また、第１の位置に刃５が配置されているときにベース２がシート２００を介して床Ａに垂直な面に対向し、第２の位置に刃５が配置されているときにベース１がシート２００を介して床Ａに垂直な面に対向するようになっている。これにより、シートカッター１００をひっくり返すような形で簡単な動作でシート２００の切り残しの部分を押さえることができ、そのまま切り残しのシート２００の切断に移行することができる。
【００３７】
また、第１の位置と第２の位置のそれぞれにおいて刃を固定する固定部を設けた。具体的には、突起８ｆ、８ｇ、８ｈ、８ｉを有し刃５を支持する刃支持部８と、刃５が第１の位置に配置されるときに刃支持部８に当接し、突起８ｈ、８ｉに係合する凹部７ｂ、７ｃを有する斜面７ａと、刃５が第２の位置に配置されるときに刃支持部８に当接し、突起８ｆ、８ｇに係合する凹部６ｂ、６ｃを有する斜面６ａとを設けた。
これにより、シート２００をカットする際に、刃５がずれずに安定してシート２００をカットすることができる。
【００３８】
また、刃５を第１の位置から第２の位置に移動させる際に、仮想の中心点を基準に回転移動させるようにした。具体的には、孔部８ｄ、８ｅを有し、刃５を支持する刃支持部８と、孔部８ｄ、８ｅ内に挿入され、回転移動の方向に沿って湾曲する柱部９ａ、９ｂと、を設けた。これにより、回動を円滑に行うことができる。
【００３９】
以上、本発明のシートカッターを、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【００４０】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００４１】
１、２  ベース
５  連結部
５ａ  切り込み
６、７  部材
６ａ、７ａ  斜面
６ｂ、６ｃ  凹部
７ｂ、７ｃ  凹部
７ｄ  把持部
７ｅ  面
８  刃支持部
８ｂ  ダイヤル
８ｃ  把持部
８ｄ、８ｅ  孔部
８ｆ、８ｇ、８ｈ、８ｉ  突起
９ａ、９ｂ  柱部
１００  シートカッター
１０１、１０２  端部
２００  シート
Ａ  床
Ｂ１、Ｂ２、Ｂ３、Ｂ４  壁
【図１】
2020044104.tif 000003
【図２】
2020044104.tif 000004
【図３】
2020044104.tif 000005
【図４】
2020044104.tif 000006
【図５】
2020044104.tif 000007
【図６】
2020044104.tif 000008
【図７】
2020044104.tif 000009
【図８】
2020044104.tif 000010
【図９】
2020044104.tif 000011